【手続補正書】
【提出日】平成15年11月20日(2003.11.20)
【手続補正１】
【補正対象書類名】明細書
【補正対象項目名】特許請求の範囲
【補正方法】変更
【補正の内容】
【特許請求の範囲】
【請求項１】
一連の原稿の画像データから成る画像データファイルを獲得する獲得手段と、
前記獲得手段により獲得された画像データファイルを記憶する記憶手段と、
前記記憶手段に記憶された画像データファイルに基づく画像を原稿の先頭頁に相当するものから順に被画像形成媒体に形成する第１の画像形成モード、及び原稿の最終頁に相当するものから順に被画像形成媒体に形成する第２の画像形成モードを実行する画像形成手段と、
前記画像形成手段により画像形成処理を受けた被画像形成媒体を画像形成処理順に積み上げて排出するとき、前記第１の画像形成モードにより画像形成処理を受けた被画像形成媒体は画像が形成された面を積み上げられる方向と反対方向に向けて排出し、前記第２の画像形成モードにより画像形成処理を受けた被画像形成媒体は画像が形成された面を積み上げられる方向に向けて排出する排出手段と、
を備えたことを特徴とする画像形成装置。
【請求項２】
複写対象となる画像データファイルを獲得しこの画像データファイルに基づく画像形成処理を実行する複写機能、ファクシミリ受信対象となる画像データファイルを獲得しこの画像データファイルに基づく画像形成処理を実行するファクシミリ機能、及びプリント対象となる画像データファイルを獲得しこの画像データファイルに基づく画像形成処理を実行するプリンタ機能のうちの少なくとも一つの機能を有する画像形成装置において、
一連の原稿の画像データから成る画像データファイルを獲得する獲得手段と、
前記獲得手段により獲得された画像データファイルを記憶する記憶手段と、
前記記憶手段に記憶された画像データファイルに基づく画像を原稿の先頭頁に相当するものから順に被画像形成媒体に形成する第１の画像形成モード、及び原稿の最終頁に相当するものから順に被画像形成媒体に形成する第２の画像形成モードを実行する画像形成手段と、
前記画像形成手段により画像形成処理を受けた被画像形成媒体を画像形成処理順に積み上げて排出するとき、前記第１の画像形成モードにより片面だけに画像形成処理を受けた被画像形成媒体は画像が形成された面を積み上げられる方向と反対方向に向けて排出し、前記第１の画像形成モードにより両面に画像形成処理を受けた被画像形成媒体は先頭頁又は先頭頁に近い頁の画像が形成された面を積み上げられる方向と反対方向に向けて排出し、前記第２の画像形成モードにより片面だけに画像形成処理を受けた被画像形成媒体は画像が形成された面を積み上げられる方向に向けて排出し、前記第２の画像形成モードにより両面に画像形成処理を受けた被画像形成媒体は先頭頁又は先頭頁に近い頁の画像が形成された面を積み上げられる方向に向けて排出する排出手段と、
を備えたことを特徴とする画像形成装置。
【請求項３】
複写対象となる画像データを獲得しこの画像データに基づく画像形成処理を実行する複写機能、ファクシミリ送信対象又は受信対象となる画像データを獲得して送信対象となる画像データを送信し受信対象となる画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
前記機能により異なる画像データの獲得時の特徴に基づいて、前記記憶手段に記憶された画像データの上下左右方向を判断する判断手段と、
前記判断手段による判断結果に基づいて、前記記憶手段に記憶された画像データに画像処理を行う画像処理手段と、
前記画像処理手段による画像処理後の画像データに基づく画像を形成する画像形成手段と、
を備えたことを特徴とする画像形成装置。
【請求項４】
複写対象となる画像データを獲得しこの画像データに基づく画像形成処理を実行する複写機能、ファクシミリ送信対象又は受信対象となる画像データを獲得して送信対象となる画像データを送信し受信対象となる画像データに基づく画像形成処理を実行するファクシミリ機能、及びプリント対象となる画像データを獲得しこの画像データに基づく画像形成処理を実行するプリンタ機能のうちの少なくともファクシミリ機能を有する画像形成装置において、
画像データを獲得する獲得手段と、
前記獲得手段により獲得された画像データを記憶する記憶手段と、
画像を被画像形成媒体の特定の頂点方向に寄せて形成するため、被画像形成媒体上における特定の頂点を指定する第１の頂点指定手段と、
前記第１の頂点指定手段により指定された被画像形成媒体上における特定の頂点に相当する頂点を、前記機能により異なる画像データの獲得時の特徴に基づいて画像データ記憶領域上に指定する第２の頂点指定手段と、
前記第２の頂点指定手段により指定された画像データ記憶領域上の頂点方向に寄せて画像データを展開し、この画像データ記憶領域上に展開された画像データに基づく画像を形成するコーナリング処理を実行する第１の画像形成手段と、
画像データ記憶領域上に画像データをセンタリングして展開し、この画像データ記憶領域上に展開された画像データに基づく画像を形成するセンタリング処理を実行する第２の画像形成手段と、
前記ファクシミリ機能において前記第１又は第２の画像形成手段による処理が指示されたとき、副走査方向に対するコーナリング処理、又はセンタリング処理を無効とする制御手段と、
を備えたことを特徴とする画像形成装置。
【請求項５】
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
２頁分又は４頁分の画像データを一枚の被画像形成媒体に形成するため、原稿の縦書き又は横書きの情報に加えて前記機能により異なる画像データの獲得時の特徴に基づいて画像データ記憶領域上への複数頁分の一連の画像データの展開順序及び展開位置を決定する決定手段と、
前記決定手段による決定結果に基づいて、２頁分又は４頁分の画像データを縮小して１頁分の画像データ記憶領域上へ展開し、この１頁分の画像データ記憶領域上に展開された２頁分又は４頁分の画像データに基づく画像を一枚の被画像形成媒体に形成する画像形成手段と、
を備えたことを特徴とする画像形成装置。
【請求項６】
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくともファクシミリ機能を有する画像形成装置において、
画像データを獲得する獲得手段と、
前記獲得手段により獲得された画像データを記憶する記憶手段と、
複数頁分の一連の画像データを一枚の被画像形成媒体に形成するため、前記機能により異なる画像データの獲得時の特徴に基づいて画像データ記憶領域上への複数頁分の一連の画像データの展開順序及び展開位置を決定する決定手段と、
前記決定手段による決定結果に基づいて、複数頁分の一連の画像データを縮小して画像データ記憶領域上へ展開し、この画像データ記憶領域上に展開された複数頁分の一連の画像データに基づく画像を一枚の被画像形成媒体に形成する連結処理を実行する画像形成手段と、
前記ファクシミリ機能における連結処理を許可する解像度の下限を予め指定する指定手段と、
前記指定手段により指定された解像度より、前記ファクシミリ機能において獲得された画像データの解像度が低い場合には、この画像データに基づき実行される連結処理を無効とする制御手段と、
を備えたことを特徴とする画像形成装置。
【請求項７】
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
前記記憶手段に記憶された画像データに基づく画像を綴じ代が指定された被画像形成媒体の第１面及び第２面に形成するとき、第１面及び第２面に形成される画像の結合軸を綴じ代方向に決定する決定手段と、
前記決定手段により決定された綴じ代方向の結合軸で被画像形成媒体の第１面及び第２面に形成される画像が結合するように、第１面及び第２面に形成される画像データを展開して、この展開された画像データに基づき画像を形成する画像形成手段と、
を備えたことを特徴とする画像形成装置。
【請求項８】
複写対象となる画像データを獲得しこの画像データに基づく画像形成処理を実行する複写機能、及びファクシミリ送信対象となる画像データを獲得してこの画像データを送信するファクシミリ機能のうちの少なくとも一つの機能を有する画像形成装置において、
原稿の第１面及び第２面から得られる画像データを獲得する獲得手段と、
前記獲得手段により獲得された画像データを記憶する記憶手段と、
前記記憶手段に記憶された画像データに基づく画像を被画像形成媒体の第１面及び第２面に形成するとき、第１面と第２面の位置関係が原稿と同じになるように、前記機能により異なる画像データの獲得時の特徴に基づいて原稿の第１面又は第２面から得られた画像データに対して必要に応じて回転処理を加える回転処理手段と、
前記獲得手段により獲得され、必要に応じて回転処理が加えられた画像データに基づき画像形成処理を実行する画像形成手段と、
を備えたことを特徴とする画像形成装置。
【請求項９】
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する第１の記憶手段と、
前記第１の記憶手段に記憶された画像データに対して、必要に応じて画像回転データに従い画像回転処理を行う回転処理手段と、
前記獲得手段により獲得され、必要に応じて回転処理が加えられた画像データに基づく画像を被画像形成媒体に形成する画像形成手段と、
前記画像形成手段により画像が形成された被画像形成媒体を保持する媒体保持手段と、
前記媒体保持手段に保持された被画像形成媒体にステープル処理を行うものであって、被画像形成媒体に対するステープル位置が固定の第１のステープル処理、又は被画像形成媒体に対するステープル位置が所定位置に可変の第２のステープル処理のうちのどちらか一方によるステープル処理が実行可能なステープル手段と、
前記第１のステープル処理により目的位置にステープル処理を行うために必要とされる第１の画像回転データ、及び前記第２のステープル処理により目的位置にステープル処理を行うために必要とされる第２の画像回転データを記憶する第２の記憶手段と、
前記第１のステープル処理実行時には前記第１の画像回転データに従った画像回転処理、前記第２のステープル処理実行時には前記第２の画像回転データに従った画像回転処理を前記回転処理手段に指示する制御手段と、
を備えたことを特徴とする画像形成装置。
【請求項１０】
複写対象となる画像データを獲得しこの画像データに基づく画像形成処理を実行する複写機能、ファクシミリ受信対象となる画像データを獲得しこの画像データに基づく画像形成処理を実行するファクシミリ機能、及びプリント対象となる画像データを獲得しこの画像データに基づく画像形成処理を実行するプリンタ機能のうちの少なくとも一つの機能を有する画像形成装置において、
画像データを獲得する獲得手段と、
前記獲得手段により獲得された画像データを記憶する記憶手段と、
画像データにより指定される指定サイズの被画像形成媒体に、この画像データに基づく画像を形成する第１の画像形成手段と、
画像データにより指定される指定サイズの被画像形成媒体を得ることができないとき、指定サイズと異なるサイズの被画像形成媒体にこの画像データに基づく画像を形成する第２の画像形成手段と、
画像データにより指定される指定サイズの被画像形成媒体を得ることができないとき、この画像データに基づく画像形成処理を中断する中断手段と、
画像データにより指定される指定サイズの被画像形成媒体を得ることができないとき、機能に応じて前記第２の画像形成手段による処理、又は前記中断手段による処理を指示する制御手段と、
を備えたことを特徴とする画像形成装置。